(57)【要約】【課題】  床下暖房システム全体の省エネルギー化を図る。【解決手段】  床面にガラリ１３，１４が設けられたガラリ有りの部屋（洗面所１１や廊下１２等）と、床面にガラリが設けられていないガラリ無しの部屋（リビングルーム１６等）とを備え、ガラリ有りの部屋の床下にはガラリ１３，１４の下方付近に床下放熱器１７，１８がそれぞれ設置され、ガラリ１３，１４を透過する床下放熱器１７，１８からの輻射熱でガラリ有りの部屋の室内空気を暖める一方、ガラリ無しの部屋の床下にも床下放熱器２０，２１が設置され、床下放熱器２０，２１からの熱で床下空間を加熱することにより、ガラリ無しの部屋の床面を床下側から暖める。【選択図】        図３
2005308331.tif 000002
【特許請求の範囲】
【請求項１】
床面に開口が設けられた開口有りの部屋と、床面に開口が設けられていない開口無しの
部屋とを備え、
前記開口有りの部屋の床下には前記開口の下方付近に床下放熱器が設置され、前記開口
を透過する前記床下放熱器からの輻射熱で当該開口有りの部屋の室内空気を暖める一方、
前記開口無しの部屋の床下にも床下放熱器が設置され、前記床下放熱器からの熱で床下
空間を加熱することにより、当該開口無しの部屋の床面を床下側から暖めることを特徴と
する床下暖房システム。
【請求項２】
前記開口有りの部屋として廊下や洗面所等の非居室が、前記開口無しの部屋として居室
が設定されていることを特徴とする請求項１に記載の床下暖房システム。
【請求項３】
前記開口無しの部屋の床下に設置された床下放熱器はファンを有し、前記ファンを回転
させながら、当該開口無しの部屋の床下空間を加熱することを特徴とする請求項１に記載
の床下暖房システム。
【発明の詳細な説明】
【技術分野】
【０００１】
本発明は、部屋の床下に設置された床下放熱器で部屋全体を暖めるのに好適な床下暖房
システムに関する。
【背景技術】
【０００２】
従来の床下暖房システムとして、部屋の床下に床下放熱器を設置するとともに、部屋の
床面に開口を設け、床下放熱器からの熱で床下空間を加熱することにより部屋の床面を暖
める一方、床下空間の加熱された空気を開口を介して部屋内部に取り入れて、部屋の室内
空気を暖めるようにしたものが提案されている（例えば、特許文献１、特許文献２参照）
。
【特許文献１】特開２００１−２０１０７５号公報
【特許文献２】特開２００１−１５３３８０号公報
【発明の開示】
【発明が解決しようとする課題】
【０００３】
しかしながら、上記従来の技術では、同一に部屋に対して、部屋の床面を暖めると同時
に、床下空間の加熱された空気を開口を介して部屋内部に循環させているので、室内空気
の温度が高くなりすぎる傾向があって、省エネルギーの点で問題がある。
【０００４】
エアコンが普及した今日では、リビングルーム等の居室にはエアコンが殆ど設置され、
エアコンは主暖房に、床下暖房は補助暖房にそれぞれ位置付けられている。このような状
況の下で、リビングルーム等の居室に対して、床面を暖めると同時に、床下空間の加熱空
気を開口を介して部屋内部に循環させる方式の床下暖房システムは、補助暖房としては過
剰設備となっている。
【０００５】
本発明は、床下暖房システム全体の省エネルギーを図ることを課題とする。
【課題を解決するための手段】
【０００６】
上記課題を達成するために、請求項１に記載の発明は、床面に開口が設けられた開口有
りの部屋と、床面に開口が設けられていない開口無しの部屋とを備え、前記開口有りの部
屋の床下には前記開口の下方付近に床下放熱器が設置され、前記開口を透過する前記床下
放熱器からの輻射熱で当該開口有りの部屋の室内空気を暖める一方、前記開口無しの部屋
の床下にも床下放熱器が設置され、前記床下放熱器からの熱で床下空間を加熱することに
より、当該開口無しの部屋の床面を床下側から暖めることを特徴としている。
【０００７】
上記構成によれば、開口有りの部屋では、その室内空気が、開口有りの部屋の床下に設
置された床下放熱器からの輻射熱で暖められる。開口有りの部屋の床面には開口が設けら
れているので、床下放熱器からの輻射熱は開口を透過し、開口有りの部屋の室内空気を容
易に暖めることができる。
【０００８】
一方、開口無しの部屋では、その床面が、開口無しの部屋の床下に設置された床下放熱
器によって床下側から加熱されて暖められる。
【０００９】
このように、上記構成においては、開口有りの部屋はその室内空気だけが、開口無しの
部屋はその床面だけが各床下放熱器によってそれぞれ暖められているため、部屋の温度が
高くなりすぎることはなく、省エネルギーを図ることができる。
【００１０】
請求項２に記載の発明は、請求項１において、前記開口有りの部屋として廊下や洗面所
等の非居室が、前記開口無しの部屋として居室が設定されていることを特徴としている。
【００１１】
廊下や洗面所等の非居室は人が長時間居ることはないが、冬場などに非居室内の室温は
できるだけ速く上昇させる必要があるので、床面の開口を通過する床下放熱器からの輻射
熱で非居室内の空気を暖める。また、リビングなどの居室は人が長時間居り、特に人が床
面に直に座ったり床面に寝転んだりするので、床面を床下放熱器で床下側から暖めるよう
にする。
【００１２】
請求項３に記載の発明は、請求項１において、前記開口無しの部屋の床下に設置された
床下放熱器はファンを有し、前記ファンを回転させながら、当該開口無しの部屋の床下空
間を加熱することを特徴としている。
【００１３】
このようにファンを回転させると、床下放熱器で加熱された床下空間の空気が拡散され
、開口無しの部屋の床面を効果的に暖めることができる。
【発明の効果】
【００１４】
本発明によれば、開口有りの部屋はその室内空気だけを、開口無しの部屋はその床面だ
けをそれぞれ床下放熱器で暖める構成であるから、各部屋が暖まりすぎることはなく、省
エネルギーを図ることができる。
【発明を実施するための最良の形態】
【００１５】
以下、本発明の実施例を図面に従って説明する。
【実施例】
【００１６】
図１および図２は本発明に係る床下暖房システムの要部構成を示しており、図１はガラ
リ有りの部屋１の床下断面図、図２はガラリ無しの部屋２の床下断面図である。ここで、
ガラリ有りの部屋１は開口有りの部屋を、ガラリ無しの部屋２は開口無しの部屋をそれぞ
れ構成している。
【００１７】
ガラリ有りの部屋１には、図１に示すように、床面３に開口であるガラリ４が設けられ
、ガラリ有りの部屋１の内部とガラリ有りの部屋１の床下空間５とは、ガラリ４を介して
連通されている。また、床下空間５には、建物の基礎部分６上に輻射式床下放熱器７が設
置されている。この輻射式床下放熱器７はガラリ４の下方付近に配置されている。
【００１８】
図示してないが、輻射式床下放熱器７は箱型形状をなし、その内部には、蓄熱体として
のレンガと、そのレンガを加熱する電気ヒータとが設けられている。そして、電気ヒータ
に通電することによりレンガが加熱され、所定時間、レンガに熱を蓄えておくことができ
る。
【００１９】
一方、ガラリ無しの部屋２には、図２に示すように、床面８に図１のようなガラリ４は
設けられてないが、床下空間９には、建物の基礎部分６上にファン付き床下放熱器１０が
設置されている。
【００２０】
図示してないが、ファン付き床下放熱器１０は、その内部に、発熱体、ファンおよびモ
ータが設けられ、モータでファンを回転させることにより、発熱体で加熱された床下空気
を床下空間９内に拡散することができる。
【００２１】
ここで、ガラリ有りの部屋１としては、廊下、洗面所、脱衣室など人が長時間居ない非
居室があり、また、ガラリ無しの部屋２としては、リビングルームなど人が長時間居る居
室がある。
【００２２】
次に、本実施例の作用について説明する。
【００２３】
暖房時、ガラリ有りの部屋１においては、輻射式床下放熱器７からの輻射熱（図１の矢
印Ａ）がガラリ４を介してガラリ有りの部屋１の内部に入射し、ガラリ有りの部屋１の室
内空気を加熱する。
【００２４】
廊下、洗面所、脱衣室などの非居室であるガラリ有りの部屋１には、人は長時間居るこ
とはなく、例えば脱衣室は着替えるときだけであるので、その着替え時にガラリ有りの部
屋１の室内空気を素速く暖めることができればよい。本実施例では、ガラリ有りの部屋１
が輻射式床下放熱器７からの輻射熱で加熱されるため、ガラリ有りの部屋１の室内空気を
素速く暖めることが可能である。
【００２５】
一方、リビングルームなどの居室であるガラリ無しの部屋２には、人は長時間居り、例
えばリビングルームの床面に直に座ったり寝転がったりするため、リビングルームの床面
が暖められていると快適である。本実施例では、ファン付き床下放熱器１０でガラリ無し
部屋２の床下空間９を加熱しながら、ファン付き床下放熱器１０のファンを回転させてい
るので、床下空間９内の空気は拡散され（図２の矢印Ｂ）、ガラリ無し部屋２の床面８を
床下側から効率的に暖めることができる。また、ガラリ無しの部屋２にはエアコンが設け
られており、ガラリ無しの部屋２の室内空気はエアコンによって暖められている。
【００２６】
なお、ファン付き床下放熱器１０でガラリ無し部屋２の床面８を暖める場合、床面８の
構成部材と床下空間８内の空気は一定の熱容量を有しているので、床面８が十分に暖まる
には時間が掛かる。この場合、ガラリ無し部屋２を使用する際に、タイマーを用いてファ
ン付き床下放熱器１０を事前に作動させて、床面８を暖めておくようにすればよい。
【００２７】
このように、本実施例によれば、ガラリ有りの部屋１は、その室内空気が、ガラリ４を
透過する輻射式床下放熱器７からの輻射熱で加熱されて暖められ、ガラリ無しの部屋２は
、その床面８がファン付き床下放熱器１０で加熱され暖められる。すなわち、ガラリ有り
の部屋１とガラリ無しの部屋２は各々別個の床下放熱器で暖められているので、ガラリ有
りの部屋１とガラリ無しの部屋２の内部が暖まりすぎることはなく、省エネルギーを達成
できる。
【００２８】
また、ガラリ無しの部屋２に主暖房としてエアコンが設けられている場合、ガラリ無し
の部屋２はその床面８が床下のファン付き床下放熱器１０で暖められるだけで、部屋の室
内空気はエアコンによって暖められるので、ファン付き床下放熱器１０を補助暖房として
利用したときに過剰設備になることはない。
【００２９】
次に、本発明に係る床下暖房システムが設置された建物の一例について説明する。
【００３０】
図３においては、洗面所１１の床面と廊下１２の床面にガラリ１３，１４がそれぞれ設
けられ、洗面所１１の床下、廊下１２の床下、キッチン１５の床下、およびリビングルー
ム１６の床下にそれぞれ輻射式床下放熱器１７〜２１がそれぞれ設置されている。また、
リビングルーム１６にはエアコン２２が設けられている。なお、輻射式床下放熱器１７〜
２１は、図１に示した輻射式床下放熱器７と同じものである。
【００３１】
図３の床下暖房システムにおいて、洗面所１１はガラリ１３を透過する輻射式床下放熱
器１７からの輻射熱で、廊下１２はガラリ１４を透過する輻射式床下放熱器１８からの輻
射熱でそれぞれ暖められる。一方、キッチン１５は輻射式床下放熱器１９からの輻射熱で
キッチン１５の床面が床下側から、リビングルーム１６は輻射式床下放熱器２０，２１か
らの輻射熱でリビングルーム１６の床面が床下側からそれぞれ暖められる。また、リビン
グルーム１６の室内空気はエアコン２２によって暖められている。
【００３２】
図４は、本発明に係る床下暖房システムが設置された建物の他の例を示している。
【００３３】
図４においては、洗面所１１の床面と廊下１２の床面にガラリ１３，１４がそれぞれ設
けられ、洗面所１１の床下、廊下１２の床下、およびキッチン１５の床下にラジエータ（
床下放熱器）２３〜２５がそれぞれ設置され、リビングルーム１６の床下にファン付き床
下放熱器２６，２７がそれぞれ設置されている。また、リビングルーム１６にはエアコン
２２が設けられている。
【００３４】
建物の外には給湯装置２８が設置されている。そして、給湯装置２８からの給湯配管２
９にラジエータ２３〜２５がシリーズに接続されている。また、給湯装置２８からの給湯
配管３０にファン付き床下放熱器２６，２７がシリーズに接続されている。
【００３５】
図４の床下暖房システムにおいて、洗面所１１はガラリ１３を透過するラジエータ２３
からの輻射熱で、廊下１２はガラリ１４を透過するラジエータ２４からの輻射熱でそれぞ
れ暖められる。キッチン１５はラジエータ２５からの輻射熱でキッチン１５の床面が床下
側から暖められている。
【００３６】
リビングルーム１６は、その床面が、ファン付き床下放熱器２６，２７によって暖めら
れる。すなわち、ファン付き床下放熱器２６，２７は、その発熱体でリビングルーム１６
の床下空気を加熱するとともに、その加熱した床下空気を回転するファンで拡散し、これ
により、リビングルーム１６の床面を床下側から効率的に暖めている。
【００３７】
また、リビングルーム１６の室内空気は、エアコン２２によって暖められている。
【図面の簡単な説明】
【００３８】
【図１】ガラリ有りの部屋の床下断面図である。
【図２】ガラリ無しの部屋の床下断面図である。
【図３】本発明に係る床下暖房システムが設置された建物の一例を示す平面図である。
【図４】本発明に係る床下暖房システムが設置された建物の他の例を示す平面図である。
【符号の説明】
【００３９】
１  ガラリ有りの部屋（開口有りの部屋）
２  ガラリ無しの部屋（開口無しの部屋）
３，８  床面
４，１３，１４  ガラリ（開口）
５，９  床下空間
７，１７〜２１  輻射式床下放熱器
１０，２６，２７  ファン付き床下放熱器
１１  洗面所
１２  廊下
１５  キッチン
１６  リビングルーム
２２  エアコン
２３〜２５  ラジエータ
２８  給湯装置
【図１】
2005308331.tif 000003
【図２】
2005308331.tif 000004
【図３】
2005308331.tif 000005
【図４】
2005308331.tif 000006